(57)【要約】【課題】  低温流体を導く主管の外周に断熱層を備えた配管において、上記主管に対する追加工事などのために上記断熱層を切り開いた場合に、工事終了後の上記断熱層の切開部分の再結合後における上記主管の外面への結露を防止できるようにする。【解決手段】  低温の流体を流通させる主管１の外周に厚い断熱層２を備えた配管において、断熱層２の切断部２ａを開いて追加工事などを終了してから、同切断部２ａを跨ぐようにして断熱層２の外周面にあてがわれる弾性基板３を備え、同弾性基板３を弾性的に撓曲させてから断熱層２の表面に沿わせる際に同断熱層２に食い込んで止着されるように傾斜した複数の突起部材４が、上記弾性基板３の両端部内側に互いに対向するように突設される。【選択図】図３
0003162230.tif 000002
【実用新案登録請求の範囲】
【請求項１】
常温と比較して著しく大きい温度差を有する低温流体を流通させるための主管の外周に厚い断熱層を備えた配管において、上記主管における局部的な工事のために上記断熱層を上記主管の長手方向と直交する方向に切断する切断部を形成してから、上記工事を終了した後で、上記切断部を跨ぐように上記断熱層の表面に沿い上記主管の長手方向に装着される弾性基板を備え、同弾性基板を弾性的に撓曲させてから上記断熱層の表面に沿わせる際に同断熱層に食い込んで止着されるように傾斜した複数の突起部材が、同弾性基板の両端部内側に互いに対向するように設けられていることを特徴とする、低温配管用断熱層切断部のための再結合用止着部材。
【請求項２】
上記弾性基板がプラスチック材で形成されるとともに、上記突起部材もプラスチック材で形成されていることを特徴とする、請求項１に記載の低温配管用断熱層切断部のための再結合用止着部材。
【考案の詳細な説明】
【技術分野】
【０００１】  本考案は、外周に断熱層を備えた低温配管において、同配管についての付加的な工事の際に、切り開かれた上記断熱層を再び結合できるようにするための止着部材に関する。
【背景技術】
【０００２】  一般に冷房装置などにおいては、常温と比較して著しく温度の低い流体を流通させるための配管として、金属製の主管の外周に発泡樹脂などの厚い断熱層を備えたものが用いられるが、上記主管について部分的に付加的な工事を施す際には、その外周の断熱層を切り開いて行い、工事終了後には上記断熱層を上記主管に再び押し付けるようにして粘着テープなどで巻き固めることが行われている。
しかしながら、上記粘着テープは経年変化により緩むことがあり、これに伴い低温流体の流通する上記金属製の主管の外表面に外気が触れて、外気中の水分が結露し、その液滴の落下を招くという不具合がある。
【考案の開示】
【考案が解決しようとする課題】
【０００３】    本考案は、冷房装置などにおける低温流体用の配管について、同配管の外周に施された断熱層を切断して行われる付加的な工事などの際に、一時的に切り開かれた上記断熱層の切り口を工事終了後には効率よく密着させるようにして、外気中の水分の結露による水滴落下の防止を図れるようにした低温配管用断熱層切断部のための再結合用止着部材を提供することを課題とする。
【課題を解決するための手段】
【０００４】  前述の課題を解決するため、本考案の低温配管用断熱層切断部のための再結合用止着部材は、常温と比較して著しく大きい温度差を有する低温流体を流通させるための主管の外周に厚い断熱層を備えた配管において、上記主管における局部的な工事のために上記断熱層を上記主管の長手方向と直交する方向に切断する切断部を形成してから、上記工事を終了した後で、上記切断部を跨ぐように上記断熱層の表面に沿い上記主管の長手方向に装着される弾性基盤を備え、同弾性基板を弾性的に撓曲させてから上記断熱層の表面に沿わせる際に同断熱層に食い込んで止着されるように傾斜した複数の突起部材が、同弾性基板の両端部内側に互いに対抗するように設けられていることを特徴としている。【０００５】  また、本考案の低温配管用断熱層切断部のための再結合用止着部材は、上記弾性基板がプラスチック材で形成されるとともに、上記突起部材もプラスチック材で形成されていることを特徴としている。
【考案の効果】
【０００６】  上述の本考案の低温配管用断熱層切断部のための再結合用止着部材では、上記主管に分岐管を接続したり温度センサーを取り付けたりするような局部的な工事のために、上記断熱層を上記主管の長手方向と直交する方向に切断する切断部を形成してから、同工事を終了した後で、上記断熱層の切断部を跨ぐようにして撓曲させた上記弾性基板を、上記断熱層の表面に沿い上記主管の長手方向に配置しておき、同弾性基板を直線状に戻す際に、上記断熱層に食い込んで止着されるように傾斜した複数の突起部材が、同弾性基板の両端部内側に互いに対向するように設けられているので、上記切断部の両端面は相互に密着するように押圧された状態となり、これにより上記断熱層の切り口には経年変化に伴う隙間を生じることが無く、上記主管の外気との接触による水滴の発生が十分に防止できるようになる。【０００７】  また、上記弾性基板がプラスチック材で形成されるとともに、上記突起部材もプラスチック材で形成されることにより、一体成型による上記の弾性基板および突起部材の形成が能率よく的確に行われるようになる利点もえられる。
【実施例】
【０００８】  本考案による低温配管用断熱層切断部のための再結合用止着部材について、図面を参照しながら説明すると、図１は上記止着部材の一実施例を示す斜視図、図２は上記止着部材の使用に際し予め弾性的に撓曲させた状態を示す斜視図、図３は上記止着部材により上記低温配管用断熱層が結合された状態を示す説明図である。【０００９】  図３に示すように、エアコンデイショナーなどにおいて、摂氏１５度付近の常温と比較して著しく温度の低い摂氏５〜１０度ほどの作動流体を流通させるための金属製主管１の外周には、発泡樹脂としての断熱材からなる断熱層２が所要の厚さ（１０〜２０ｍｍ程度）で施されている。【００１０】  このような配管において、主管１に温度センサーを取り付けるなどの何らかの加工を施すために断熱層２を切断部２ａにおいて切断した場合、上記加工の終了後には切断部２ａに沿う断熱層２の切断面を密着させるように修復する必要がある。【００１１】  そこで、本実施例では、図１に示すように、プラスチック材からなる弾性基板３の両端部内側に、それぞれ内方へ傾斜するように成型加工により形成される突起部材４を左右に互いに対向させるように備えた配管用断熱層切断部の再結合のための複数（好ましくは３個以上）の止着部材Ａが、切断部２ａの周囲に、この切断部２ａを跨ぐようにして、等間隔で配設されるごとく構成される。【００１２】  なお、各突起部材４の先端は鋭く尖っており、止着部材Ａの断熱層２への装着に際しては、まず図２に示すように止着部材Ａを湾曲状態としてから、図３に示すように断熱層２の切断部２ａを跨ぐようにあてがい、ついで止着部材Ａの両端部を断熱層２の外周面に押し付けるようにしながら各突起部材４を断熱層２へ没入させることにより、互いに対向する突起部材４，４の相互間隔Ｄが減少する作用が行われて、切断部２ａでの断熱層２の左右部分相互の圧着状態が保持されるようになる。【００１３】  したがって、金属製主管１が外部の湿った空気に触れることはなく、結露が十分に防止されるようになって、結露による水滴の落下を防止できるようになる。【００１４】  また、弾性基板３がプラスチック材で形成されるとともに、突起部材４もプラスチック材で形成されることにより、一体成型による弾性基板３および突起部材４の形成が能率よく的確に行われるようになる利点も得られる。【００１５】  なお、本考案の変形例として、止着部材Ａをステンレス鋼板製とし、同鋼板の打ち抜き加工により突起部材４を形成するようにしてもよい。
【図面の簡単な説明】
【００１６】
【図１】  本考案の一実施例としての低温配管用断熱層切断部のための再結合用止着部材を示す斜視図である。
【図２】  上記低温配管用断熱層切断部のための再結合用止着部材を使用の際に撓曲させた状態を示す斜視図である。
【図３】  上記低温配管用断熱層切断部のための再結合用止着部材の使用状態を示す説明図である。
【符号の説明】
【００１７】  １      金属製主管
２      断熱層
２ａ    切断部
３      弾性基板
４      突起部材
Ａ      止着部材
【図１】
0003162230.tif 000003
【図２】
0003162230.tif 000004
【図３】
0003162230.tif 000005